(57)【特許請求の範囲】
【請求項１】
写真感光材料を現像処理する処理槽に対して補充容器からの処理液を補充する処理液の補充装置において、
前記補充容器を柔軟なシート材で成る袋状の容器で構成し、この補充容器がセットされる本体ケースに対して開閉自在にアームを備え、このアームに対して先端が尖鋭な吸引管を備えることで、アームの閉じ方向への操作によって吸引管が補充容器に刺込まれ、この吸引管を介して補充容器から処理液を吸引するよう補充流路を形成すると共に、アームを閉じ方向へ操作した際にアームの閉じ方向への操作を許し乍ら開放方向への操作を阻止する阻止手段を備えている処理液の補充装置。
【請求項２】
前記阻止手段が、前記アームの閉じ操作が完了した時点でアームの開放方向への揺動を許すよう構成されている請求項１記載の処理液の補充装置。
【請求項３】
前記アームが本体ケースに対して支軸周りで開閉揺動自在に備えられると共に、前記阻止手段が、前記支軸を中心とする円弧状部に凹凸面を形成したギヤ状部材と、この凹凸面に係入してギヤ状部材との相対回転を阻止するストッパーとで構成されている請求項１記載の処理液の補充装置。
【請求項４】
前記アームが閉じ操作域の終端に達した時点で該アームを閉じ操作域の終端位置に保持するロック機構を備えている請求項２記載の処理液の補充装置。
【請求項５】
前記補充容器の処理液が消費され尽くしたことが検出された後に、前記ロック機構のロック状態の解除を行えるよう構成されている請求項４記載の処理液の補充装置。
【発明の詳細な説明】
【０００１】
【発明の属する技術分野】
本発明は、写真感光材料を現像処理する処理槽に対して補充容器からの処理液を補充する処理液の補充装置に関する。
【０００２】
【従来の技術】
上記のように構成された処理液の補充装置として特開平９‐１２０１３３号公報に示されるものが存在し、この従来例では、補充パッケージの注入ノズルを給液ノズルに嵌め合わせることで、補充パッケージに貯留された処理液を給液ノズルを介して補給ポンプに送り、補充流路からサブタンクに送り込めるよう構成されている。
【０００３】
【発明が解決しようとする課題】
しかし、公報番号を挙げた従来例に限らず従来からの処理液は樹脂タンクのように保形性の良好なものを用いているいるため、使用済のパッケージ（容器）を破棄する際に容積が高く扱い難い面があった。又、従来例のように補充パッケージ内の処理液をパッケージ外に送り出す構造のものでは、補充パッケージ内の処理液の液面が低下した際にパッケージ内に吸入された空気と接触して処理液を酸化させることもあり改善の余地がある。
【０００４】
そこで、柔軟なシート材を袋状に形成してパッケージを構成することで、処理液の送り出しに伴ってパッケージが収縮して容積を縮小させ得るものを用いることも考えられるが、例えば、このパッケージに対して注射針のようなものを握り、人為操作で刺込んで処理液を取り出すものでは操作が煩雑となりやすく改善の余地がある。
【０００５】
本発明の目的は、簡単な操作で処理液を無理なく取出して補充を可能にすると共に、使用済の容器の破棄も容易となる処理液の補充装置を合理的に構成する点にある。
【０００６】
【課題を解決するための手段】
本発明の第１の特徴は、写真感光材料を処理する処理槽の液面低下が検出されると、この処理槽に対して補充容器からの処理液を補充する処理液の補充装置において、前記補充容器を柔軟なシート材で成る袋状の容器で構成し、この補充容器がセットされる本体ケースに対して開閉自在にアームを備え、このアームに対して先端が尖鋭な吸引管を備えることで、アームの閉じ方向への操作によって吸引管が補充容器に刺込まれ、この吸引管を介して補充容器から処理液を吸引するよう補充流路を形成すると共に、アームを閉じ方向へ操作した際にアームの閉じ方向への操作を許し乍ら開放方向への操作を阻止する阻止手段を備えている点にあり、その作用は次の通りである。
【０００７】
本発明の第２の特徴は第１の特徴において、前記阻止手段が、前記アームの閉じ操作が完了した時点でアームの開放方向への揺動を許すよう構成されている点にあり、その作用は次の通りである。
【０００８】
本発明の第３の特徴は第１の特徴において、前記アームが本体ケースに対して支軸周りで開閉揺動自在に備えられると共に、前記阻止手段が、前記支軸を中心とする円弧状部に凹凸面を形成したギヤ状部材と、この凹凸面に係入してギヤ状部材との相対回転を阻止するストッパーとで構成されている点にあり、その作用は次の通りである。
【０００９】
本発明の第４の特徴は第２の特徴において、前記アームが閉じ操作域の終端に達した時点で該アームを閉じ操作域の終端位置に保持するロック機構を備えている点にあり、その作用は次の通りである。
【００１０】
本発明の第５の特徴は第４の特徴において、前記補充容器の処理液が消費され尽くしたことが検出された後に、前記ロック機構のロック状態の解除を行えるよう構成されている点にあり、その作用は次の通りである。
【００１１】
〔作用〕
【００１２】
上記第１の特徴によると、アームの閉じ方向への操作で吸引管を補充容器に刺込むので、例えば、吸引管を握って補充容器に刺込む操作と比較して、吸引管を補充容器に刺込む際の姿勢を安定させるものとなり、又、アームの閉じ操作を開始した場合には阻止手段によって閉じ方向への操作のみが許されるので、アームを複数回開閉操作した場合のように、補充容器に対して吸引管を複数回刺込むことに起因する不要な孔を形成する不都合がないものとなる。
【００１３】
上記第２の特徴によると、アームの閉じ操作が完了した後には、自動的にアームの開放方向への操作が許されるので、補充容器を取換える目的でアームを開放操作する際にも阻止手段の作動形態を切換える等の特別な操作を行わずに済むものとなる。
【００１４】
上記第３の特徴によると、単一の支軸周りでアームを揺動させるので、例えば、アームをスライド移動させるものと比較してアームの支持構造が単純で製作が容易となると共に、ギヤ状部材とストッパーという単純で簡単な構造の部材でアームの開放への操作を阻止し得るものとなる。
【００１５】
上記第４の特徴によると、アームの閉じ操作を完了した時点でアームの開放方向への作動がロック機構で阻止されるので、アームに誤って手や衣服の袖等が触れた場合でもアームが開放方向へ作動させることがない。
【００１６】
上記第５の特徴によると、補充容器の処理液が消費尽くされるまでアームを開放できないので、誤ってアームを開放操作する不都合を解消して、処理液を完全に消費することが可能となり、補充容器の処理液が消費尽くされると無理なく補充容器の取換えを行えるものとなる。
【００１７】
〔発明の効果〕
従って、アームの操作により補充容器に対して吸引管を楽に刺込めると共に、補充容器に不要な孔を形成しないので処理液の漏れ出しや酸化を抑制しながら、現像処理液を空気で酸化させずに取出して補充を可能にし、使用後の容器の破棄も容易にする補充装置が合理的に構成されたのである。又、補充容器の取換え時にもアームの開放操作を容易に行え、アームの支持構造、阻止手段の構造が単純で低廉に製作できるものとなり、吸引管を補充容器内に刺込んだ状態を維持して吸引性能を変化させることがなく、吸引管を補充容器内に刺込んだ状態を補充容器内の処理液が消費され尽くすまで維持して吸引が終了するまで吸引性能を変化させることがないものとなった。
【００１８】
【発明の実施の形態】
以下、本発明の実施の形態を図面に基づいて説明する。
図１には写真現像処理装置の構造が示されている。つまり、この写真現像処理装置では先端にリーダを接続した写真感光材料の一例としてのフィルム１を装填するフィルム装填部２と、フィルム装填部２から繰り出されるフィルム１を現像処理するフィルム現像部３と、現像処理後のフィルム１を乾燥ヒータによって暖められ乾燥ファンによって送り出された温風により乾燥するフィルム乾燥部４と、乾燥後のフィルム１を排出する排出部５と、排出されたフィルム１を一時的に保存するフィルム受け部６とが備えられている。
フィルム装填部２に装填されたフィルム１は、搬送ローラと遊転ローラとに挟持された状態で搬送され、フィルム現像部３に送り込まれるが、フィルム現像部３の入口付近には光センサ７が設けられており、この光センサ７の信号とフィルム搬送速度からフィルム現像部３に搬入されて現像処理されるフィルムの長さを求めることができる。
【００１９】
フィルム現像部３には、現像、漂白、定着等の現像処理を順次行うため現像液、漂白液、定着液、安定液などの処理液が各別に充填された７つの処理槽が形成されている処理エリアと、処理エリア内でフィルム１を搬送する長さの異なる搬送ローラユニット９とが備えられている。７つの処理槽３Ａ〜３Ｇは、フィルム１の搬送方向の順に並んでおり、１番目の深い漕となっているのが現像液用処理槽３Ａで、次が漂白液用処理槽３Ｂで、続く２つが定着液用処理槽３Ｃ、３Ｄであり、３つの浅い漕となっているのが安定液用処理槽３Ｅ，３Ｆ，３Ｇである。各処理槽は深さが異なっていても、実質的には同様な構造をもっており、図２には現像液用処理槽３Ａの縦断面視での模式図が示されている。
【００２０】
図２に示すように、現像液用処理槽３Ａはその上側領域の側方にサブタンク３Ａｓを設けており、処理槽３Ａの上側領域とサブタンク３Ａｓは流通可能となっている。サブタンク３Ａｓには、補充ラインを形成する補充管路１２Ｌが接続されており、現像液の活性度を一定に保つ目的と処理液の液面低下をセンサ１０で計測された際に液面低下を抑制する目的とから適時供給ポンプ１２Ｐを動作させ、現像液の補充装置Ａから現像液を補充管路１２Ｌを介してサブタンク３Ａｓに補充する。補充装置Ａと供給ポンプ１２Ｐとの間には流量センサ１２Ｓが設けられており、サブタンク３Ａｓへの現像液の供給量が測定される。さらに、サブタンク３Ａｓと処理槽３Ａの底部とがフィルタ付きの循環管路１３Ｌによって接続されて循環ラインを形成しており、この循環管路１３Ｌの途中には循環ポンプ１３Ｐが備えられている。サブタンク３Ａｓの内部には、現像液を加熱するヒータや、その現像液の温度を検出する温度センサなどが備えられているが、ここではそれらの図示は省略する。
【００２１】
サブタンク３Ａｓには、給水手段としての給水ラインを形成する給水管路１４Ｌも接続されており、現像液からの水の蒸発分を補償するために適時給水ポンプ１４Ｐを動作させ、給水タンク１４Ｔから水を給水管路１４Ｌを介してサブタンク３Ａｓに送る。給水タンク１４Ｔと給水ポンプ１４Ｐとの間には流量センサ１４Ｓが設けられており、サブタンク３Ａｓへの給水量が測定される。
現像液用処理槽３Ａには、排出手段としての排出ラインを形成する排出管路１５Ｌが接続されており、現像液の補充時に排出ポンプ１５Ｐを同時又はシーケンス的に動作させ、現像液用処理槽３Ａから劣化した現像液を所定量だけ排出タンク１５Ｔへ排出する。排出ポンプ１５Ｐと排出タンク１５Ｔとの間には流量センサ１５Ｓが設けられており、現像液の排出量が測定される。現像液用処理槽３Ａと排出タンク１５Ｔの間には、不測の事態に備えてオーバーフロー排出管路１５Ｆが付加的に設けられている。さらに、現像液用処理槽３Ａには、液面センサ１０が設けられており、サブタンク３Ａｓを含む現像液用処理槽３Ａ内に貯留している現像液のその都度の量、つまり貯留量の変動が測定される。
【００２２】
この写真現像処理装置では、現像液用処理槽３Ａに補給される現像液、漂白液用処理槽３Ｂに供給される漂白液、定着液用処理槽３Ｃ、３Ｄに補給される定着液、安定液用処理槽３Ｅ、３Ｆ、３Ｇに補給される安定液（これらを処理液を称する）を自動的に補充するよう前記補充装置Ａが構成されている。又、この補充装置では、現像液、漂白液、定着液、安定液夫々とも殆ど同じ構造の機構を介して送り出すものとなっており、その１つの構造を以下に詳述する。
【００２３】
つまり、図３、図４、図７に示すように、前記補充装置Ａは本体ケース２１に対して前方へスライド式に抜き出し自在に構成されたトレイ２２に対して樹脂材や耐水処理された紙材のように柔軟なシート材で成る袋状の補充容器２３に充填された処理液をセットして用いるものとなっており、この本体ケース２１に対して横向き姿勢の第１支軸２４を介して揺動開閉自在に構成された第１アーム２５が備えられている。この第１アーム２５の下面側の幅方向の中央位置には下側に下方に向けて突設された尖鋭な先端形状の吸引管２６を備え、又、この第１アーム２５の前面側には該第１アーム２５を下方に揺動操作した際に本体ケース２１と係合して閉じ状態を保持するロック機構Ｌを備えている。
【００２４】
又、トレイ２２の一方の端部には把手２２Ａが形成され、他方の端部にはトレイ２２の誤挿入を阻止するよう形状が設定された識別突起２２Ｂが形成され、この本体ケース２１の内部の壁面２７には対応するトレイ２２が挿入された場合にのみ嵌まり込む孔部２７Ｈが形成され、対応しないトレイ２２を挿入しようとしても適正な位置まで挿入できないものとなっている。更に、この孔部２７Ｈに対して対応した識別突起２２Ｂが挿入された場合に第１アーム２５の閉じ姿勢への操作を許容する規制機構（図示せず）を備えており、本体ケース２１に対応したトレイ２２が挿入された場合にのみ第１アーム２５の閉じ姿勢への操作を許して処理液の吸引を可能にするものとなっている。
【００２５】
本体ケース２１の後面側には内部に液面センサＳを備えた円筒状部材２８を備え、この円筒部材２８の上部には樹脂製のベローズ２９が互いに連通する状態で備えられ、この円筒状部材２８の上部空間と吸引管２６とを可撓性のチューブ３０で連通し、この円筒状部材２８の下部空間と連通する可撓性のチューブ３１を前記補充管路１２Ｌ（補充流路）に接続してある。
【００２６】
図１４（ａ），（ｂ）に示すように、前記吸引管２６は外面を滑らかな面に仕上げたステンレス等の金属製のパイプ状部材２６Ａを第１支軸２４を中心とする円弧状に屈曲成形すると共に、先端に鋭い先細り形状で、その円錐面２６Ｓが粗面に仕上げられた尖鋭で硬質で耐磨耗性が高い金属で成る錐状部材２６Ｂを嵌め込み固定し、このパイプ状部材２６Ａの先端部に直径が３ミリメートル程度の複数の貫通孔２６Ｃを穿設してある。図５，６，７に示すように、前記ベローズ２９は、圧縮によって容積を縮小させ伸張によって容積を増大させる可変容量空間として構成され、このベローズ２９の上端には案内プレート３２のガイド孔３２Ａに沿って案内されるガイドピン３３をブラケット３４を介して備えている。又、第１アーム２５の下方の基端側には本体ケース２１に対し横向き姿勢の第２支軸３５を介して揺動自在に第２アーム３６を備え、この第２アーム３６の後端の開口に前記ガイドピン３３に係合し、この第２アーム３６の前端側に接当ピン３７を備えている。
【００２７】
図７〜図１０に示すように、前記第１アーム２５は吸引管２６の先端を補充容器２３から上方に離間させる離間域Ｍ１と、吸引管２６を補充容器２３に刺込む刺込み域Ｍ２と、この刺込み域Ｍ２から吸引管２６を更に送り込む挿入域Ｍ３とに操作自在に構成され、この第１アーム２５の下面側には第１アーム２５が離間域Ｍ１と刺込み域Ｍ２とにある姿勢で第２アーム３６の接当ピン３７に接当して第２アーム３６の前端が上方に持ち上がる姿勢に維持するよう第１支軸２４と同軸芯となる円弧面が形成されたカム部材３８を第１アーム２５に備えると共に、このように姿勢を維持するよう第１支軸２４と第２支軸３５との相対位置関係が設定されている。又、この第１アーム２５の下面側には該第１アーム２５が挿入域Ｍ３にある姿勢で第２アーム３６の前端位置に上方から接当する接当片３９を備えている。尚、この構造は後述するように補充容器２３を適正にセットして第１アーム２５を閉じ方向に操作した際に、吸引管２６を補充容器２２に刺込み、この後にベローズ２９を伸張操作し、負圧によって円筒状部材２８の上端から処理液をベローズ２９内に吸引させるためのものである。
【００２８】
図１３に示すように、第１支軸２４の近傍位置の第１アーム２５に第１支軸２４と同軸芯となる円弧状面に多数の凹凸部４１Ａを形成したギヤ状部材４１を固設し、このギヤ状部材４１の凹凸部４１Ａに係脱するストッパー４２を軸体４３周りで揺動自在、かつ、係合端部が上方に向かう姿勢にバネ４４で付勢された状態で本体ケース２１に備えて阻止手段としてのラチェット機構を構成している。このラチェット機構は第１アーム２５を閉じ方向への操作した場合には、図１３（ロ）に示すようにストッパー４２の姿勢変化で先端が凹凸部４１Ａに係入して第１アーム２５の開放側への操作を阻止するものとなり、該第１アーム２５を完全に閉じ姿勢に操作した場合と、第１アーム２５を完全に開放姿勢に設定した場合には図１３（イ）、（ハ）に示すように凹凸部４１Ａからストッパー４２の先端が離間し、バネ４４の付勢力でストッパー４２の先端が第１支軸２４の軸芯方向に向かい中立姿勢となり、この状態から図１３（ニ）に示すように逆方向への操作を行えるものとなっている。尚、第１アーム２５の後端のピン４５と本体ケース２１との間にはバランスバネ４６を備えている。
【００２９】
前記ロック機構Ｌは、図１１，１２に示すように、本体ケース２１の前端に係合する鉤状の係合部４７Ａを有した係合部材４７を第１アーム２５に固設したガイド軸４８に対して長孔４７Ｃを介してスライド自在に支持し、かつ、コイルバネ４９で係合方向に付勢してある。又、この係合部材４７に備えた操作軸５０が係入するための凹部５１Ａを形成した規制部材５１をガイド軸４８周りで揺動自在に支持し、かつ、この規制部材５１をツル巻きバネ５２で操作軸５０に対して凹部５１Ａを係入させる側に付勢してあり、更に、この規制部材５１の揺動端に該規制部材５１の凹部５１Ａを操作軸５０から下方に離間させる方向に操作する電磁ソレノイド５３のプランジャ５３Ａを連結してある。
【００３０】
第１アーム２５の揺動端位置の幅方向の中央位置に凹部２５Ａを形成し、この部位の壁面部に形成した長孔２５Ｂに対して前記操作軸５０を挿通することで操作軸５０を人為操作できるよう構成してあり、この第１アーム２５の前面には発光ダイオード５４を内蔵した押し操作型のスイッチ５５を備えている。尚、このロック機構Ｌは第１アーム２５を閉じ操作した場合に係合部材４７の係合部４７Ａの下端に形成された傾斜面４７Ｂに本体ケース２１に接当し、ガイド軸４８周りで係合部材４７が揺動した後、係合部４７Ａが本体ケース２１に係合してロック状態に達するようになっている。又、このロック機構Ｌは後述する操作によって電磁ソレノイド２５を駆動してロック状態の解除を行えるものとなっているが、電磁ソレノイド５３が故障した場合や電力が供給されない場合にロック機構Ｌのロック状態を解除できるよう第１アーム２５の凹部２５Ａの上面に穿設した開口から鉛筆等の棒状材６５を挿入して規制部材５１を押し下げ得るものとなっており、この押し下げ操作で規制部材５１の凹部５１Ａが操作軸５０から下方に離間し、この状態で操作軸５０を前方に引く操作を行うことで、人為操作力でロック機構Ｌのロック解除を行えるものとなっている。
【００３１】
又、前記液面センサＳからの信号で処理液が存在することを制御装置（図示せず）が判別している状態では前記スイッチ５５の発光ダイオード５４を消灯状態に維持すると共に、スイッチ５５を押し操作しても電磁ソレノイド５３が駆動されないよう制御動作が設定されている。そして、この液面センサＳからの信号で処理液が消費され尽くされたことを制御装置が判別した場合には、前記スイッチ５５の発光ダイオード５４を点灯すると共に、スイッチ５５の押し操作に基づいて電磁ソレノイド５３を駆動できるように制御動作が設定されている。
【００３２】
このように構成されたことから、補充容器２３をセットする場合には、トレイ２２に対して補充容器２３を嵌め込み、このトレイ２２をスライド操作で本体ケース２１に挿入し、次に第１アーム２５を閉じ操作（前端を下方に操作）する。この際、吸引管２６の先端の円錐面２６Ｓが粗面に仕上げられているので補充容器２３を形成する柔軟なシート材との剥離性が良好で、このシート材を内方に引き込むこと無く円滑に、このパイプ状部材２６Ａを補充容器２３に刺込み得るものとなっており、この吸引管２６が円弧状に成形されているので補充容器２３に最小の大きさの孔を穿設した状態で吸引管２６を刺込めるものとなり、更に、補充容器２３に刺込まれる際に第１アーム２５からの操作力が第２アーム３６に伝えられてベローズ２９が伸張方向に操作され、その結果、ベローズ２９内に吸引管２６からの処理液が吸入されるものとなっており、この第１アーム２５の操作を継続することで、ロック機構Ｌで第１アーム２５が閉じ姿勢に維持されるものとなる。このように第１アーム２５を閉じ状態に保持した場合には、第１アーム２５の前端部がトレイ２２の前面の上部に重複してトレイ２２の抜き出しを阻止するものとなっている。
【００３３】
又、第１アーム２５を下方に操作する際にはラチェット機構が第１アーム２５の途中での持ち上げ操作を阻止して、第１アームを複数回上下方向に操作した場合のように補充容器２３の表面に吸引管２６で複数の孔が形成される不都合を解消するものとなっている。尚、ベローズ内２９に処理液を吸引させる理由は、この部位まで液面を高めておくことで補充容器２３内の処理液が消費され尽くした場合には前記供給ポンプ１２Ｐからの負圧でベローズ２９内の液面を低下させ、この低下を液面センサＳで検出できるようにするためである。
【００３４】
そして、前記供給ポンプ１２Ｐの作動で補充容器２３の処理液が消費され尽くされ、負圧によって円筒状部材２８の液面が液面センサＳより低下した時点で制御装置がスイッチ５５の発光ダイオード５４を発光させ、処理液の取換えの必要のあることを報知するものとなっている。この後、補充容器２３を取換える場合にはスイッチ５５を押し操作することで、電磁ソレノイド２５の駆動力によって規制部材５１の凹部５１Ａが操作軸５０から下方に離間した状態に達し、このようにスイッチ５５を押し操作し乍ら操作軸５０を前方に引く操作を行うことで人為操作力でロック機構Ｌのロックが解除され、第１アーム２５を上方に持ち上げる得るものとなっている。更に、第１アーム２５を持ち上げ操作した場合には、前述のようにカム部材３８の形状が設定されているので、第１アーム２５が刺込み域Ｍ２にある状態でベローズ２９が圧縮されることによりベローズ２９内の空気が吸引管２６やチューブ３０に残留している処理液を補充容器２３内に送り返すものとなり、又、吸引管２６の先端部に穿設された貫通孔２６Ｃの直径が３ミリメートル程度の小径であるので、次に新たに補充容器２３をセットする際に吸引管２６から処理液が垂れ落ちることがないものにしている。
【００３５】
〔別実施の形態〕
本発明は上記実施の形態以外に、例えば、複数のガイドレールを備える、あるいはパンタグラフ式にやアームを平行移動するよう構成することが可能であり、アームを電動モータ等のアクチュエータで開閉駆動するよう構成することも可能である。
【００３６】
本発明の自動現像装置は前記給水タンク１４Ｃに代えて、補充容器２３に水を貯留して用いることも可能である。又、本発明は前記円筒部材２８を透明ガラスや透明な樹脂で構成して視覚的に内部の液面レベルを把握できるよう構成することも可能であり、このように構成する際に円筒部材２８に液面センサＳを備えずに実施することも可能である。
【００３７】
更に、本発明の自動現像装置はフィルム以外に印画紙の現像処理に適用することが可能であり、現像処理液を補充するためのポンプ１２Ｐとして、１作動で決まった量の処理液を送り出す構造のポンプを用いることで流量センサ１２Ｓを用いずに構成することも可能である。
【図面の簡単な説明】
【図１】本発明のフィルム自動現像装置の概略図
【図２】現像処理液の補充系の概略図
【図３】補充装置の斜視図
【図４】識別突起と壁面の孔部とを示す斜視図
【図５】補充装置の側面図
【図６】ベローズを伸縮操作する部位の後面図
【図７】第１アームを開放姿勢に設定した状態の補充装置の縦断側面図
【図８】第１アームの操作途中の状態と、第１アームを閉じ姿勢に設定した状態とを示す補充装置の縦断側面図
【図９】第２アームを作動させる構造の概略側面図
【図１０】第２アームを作動させる構造の概略後面図
【図１１】ロック状態とロック解除状態のロック機構の側面図
【図１２】第１アームの先端部を示す図
【図１３】ラチェット機構の作動を順次示す側面図
【図１４】吸引管先端部の縦断側面図、及び、横断平面図
【符号の説明】
２１      本体ケース
２３      補充容器
２４      支軸
２５      アーム
２６      吸引管
４１      ギヤ状部材
４１Ａ    凹凸部
４２      ストッパー
Ｌ        ロック機構
【図１】
0003846610.tif 000002
【図２】
0003846610.tif 000003
【図３】
0003846610.tif 000004
【図４】
0003846610.tif 000005
【図５】
0003846610.tif 000006
【図６】
0003846610.tif 000007
【図７】
0003846610.tif 000008
【図８】
0003846610.tif 000009
【図９】
0003846610.tif 000010
【図１０】
0003846610.tif 000011
【図１１】
0003846610.tif 000012
【図１２】
0003846610.tif 000013
【図１３】
0003846610.tif 000014
【図１４】
0003846610.tif 000015